(57)【要約】【課題】新幹線等の乗客が降車駅に着く前に事前に車内で駅に設けられたロッカーの利用予約を行うことができるロッカー予約システム。【解決手段】乗客は、乗車券・特急券５をロッカー予約端末１に投入すると、駅別ロッカー情報テーブル２２から取得されてロッカー予約端末１の表示部に表示された降車駅のロッカーの情報（空き状況、高さ、幅、奥行き、設置場所等）を参照し、降車予定駅構内に設置されたロッカーを予約する。予約の情報は、自動改札機３に通知され、乗客が自動改札機３に乗車券、特急券等を投入すると、自動改札機３から予約したロッカーのＩＤ等が記録されたカードキー６が発行される。乗客がこのカードキー６をロッカーに挿入すると、ロッカーが解錠される。【選択図】      図１
2006251921.tif 000002
【特許請求の範囲】
【請求項１】
カードキーにより解錠されるロッカーと、交通機関の利用者に前記交通機関の利用券と関連して前記ロッカーを予約させるロッカー予約端末と、前記ロッカー予約端末から前記ロッカーの予約の情報を受けた後に前記利用券を検出した時に前記ロッカー予約端末により予約された前記ロッカーを解錠するためのカードキーを発行する前記交通機関の改札機とを含むことを特徴とするロッカー予約システム。
【請求項２】
交通機関の駅に設けられカードキーにより解錠されるロッカーと、前記交通機関の駅別に前記ロッカーの設置に関する情報を格納した駅別ロッカー情報テーブルと、前記ロッカーの予約に関する情報を格納する予約管理テーブルと、前記交通機関の利用券の情報が入力された時に前記駅別ロッカー情報テーブルおよび前記予約管理テーブルからの情報を受けて出力する予約可能なロッカーを有する前記駅のリストの中から前記交通機関の利用者が選択した前記駅にある前記ロッカーを前記利用券と関連させて予約するとともに予約の情報を前記予約管理テーブルに記録させるロッカー予約端末と、前記ロッカー予約端末から前記ロッカーの予約の情報を受けた後に前記利用券を検出した時に前記ロッカー予約端末により予約された前記ロッカーを解錠するためのカードキーを発行する前記交通機関の改札機とを含むことを特徴とするロッカー予約システム。
【請求項３】
交通機関の駅に設けられカードキーにより解錠されるロッカーと、前記交通機関の駅別に前記ロッカーの設置に関する情報を格納した駅別ロッカー情報テーブルと、前記ロッカーの予約に関する情報を格納する予約管理テーブルと、前記交通機関内に設けられ前記交通機関の利用券を検出した時に前記駅別ロッカー情報テーブルおよび前記予約管理テーブルからの情報を受けて出力する予約可能なロッカーを有する前記駅のリストの中から前記交通機関の利用者が選択した前記駅にある前記ロッカーを前記利用券と関連させて予約するとともに予約の情報を前記予約管理テーブルに記録させるロッカー予約端末と、前記ロッカー予約端末から前記ロッカーの予約の情報を受けた後に前記利用券を検出した時に前記ロッカー予約端末により予約された前記ロッカーを解錠するためのカードキーを発行する前記交通機関の改札機とを含むことを特徴とするロッカー予約システム。
【請求項４】
交通機関の駅に設けられカードキーにより解錠されるロッカーと、前記交通機関の駅別に前記ロッカーの設置に関する情報を格納した駅別ロッカー情報テーブルと、前記ロッカーの予約に関する情報を格納する予約管理テーブルと、前記交通機関の利用券を出札するとともに前記駅別ロッカー情報テーブルおよび前記予約管理テーブルからの情報を受けて出力する予約可能なロッカーを有する前記駅のリストの中から前記交通機関の利用者が選択した前記駅にある前記ロッカーを前記利用券と関連させて予約するとともに予約の情報を前記予約管理テーブルに記録させるロッカー予約端末と、前記ロッカー予約端末から前記ロッカーの予約の情報を受けた後に前記利用券を検出した時に前記ロッカー予約端末により予約された前記ロッカーを解錠するためのカードキーを発行する前記交通機関の改札機とを含むことを特徴とするロッカー予約システム。
【請求項５】
前記ロッカー情報テーブルから予約した前記ロッカーの位置情報を前記改札機に送り、前記改札機は、前記予約したロッカーの位置を示す案内図を出力することを特徴とする請求項１ないし４のいずれかに記載のロッカー予約システム。
【請求項６】
前記改札機から前記カードキーが発行されてから所定の時間が過ぎても前記カードキーにより予約された前記ロッカーが解錠されないときは、前記ロッカーの予約を解除し、この解除の情報を前記予約管理テーブルに記録させることを特徴とする請求項１ないし５のいずれかに記載のロッカー予約システム。
【請求項７】
前記交通機関は鉄道の列車であり、前記利用券は、前記列車の乗車券および特急券であることを特徴とする請求項１ないし６のいずれかに記載のロッカー予約システム。
【請求項８】
交通機関の利用者がロッカー予約端末により前記交通機関の利用券と関連してカードキーにより解錠されるロッカーを予約し、前記交通機関の改札機が前記ロッカー予約端末から前記ロッカーの予約の情報を受けた後に前記利用券を検出した時に前記ロッカー予約端末により予約された前記ロッカーを解錠するためのカードキーを発行することを特徴とするロッカーの予約方法。
【請求項９】
交通機関の駅にカードキーにより解錠されるロッカーを設け、駅別ロッカー情報テーブルに前記交通機関の駅別の前記ロッカーの設置に関する情報を格納し、予約管理テーブルに前記ロッカーの予約に関する情報を格納し、ロッカー予約端末が前記交通機関の利用券の情報が入力された時に前記駅別ロッカー情報テーブルおよび前記予約管理テーブルからの情報を受けて出力する予約可能なロッカーを有する前記駅のリストの中から前記交通機関の利用者が選択した前記駅にある前記ロッカーを前記利用券と関連させて予約するとともに予約の情報を前記予約管理テーブルに記録させ、前記交通機関の改札機が前記ロッカー予約端末から前記ロッカーの予約の情報を受けた後に前記利用券を検出した時に前記ロッカー予約端末により予約された前記ロッカーを解錠するためのカードキーを発行することを特徴とするロッカーの予約方法。
【請求項１０】
交通機関の駅にカードキーにより解錠されるロッカーを設け、駅別ロッカー情報テーブルに前記交通機関の駅別の前記ロッカーの設置に関する情報を格納し、予約管理テーブルに前記ロッカーの予約に関する情報を格納し、前記交通機関内に設けたロッカー予約端末が前記交通機関の利用券を検出した時に前記駅別ロッカー情報テーブルおよび前記予約管理テーブルからの情報を受けて出力する予約可能なロッカーを有する前記駅のリストの中から前記交通機関の利用者が選択した前記駅にある前記ロッカーを前記利用券と関連させて予約するとともに予約の情報を前記予約管理テーブルに記録させ、前記交通機関の改札機が前記ロッカー予約端末から前記ロッカーの予約の情報を受けた後に前記利用券を検出した時に前記ロッカー予約端末により予約された前記ロッカーを解錠するためのカードキーを発行することを特徴とするロッカーの予約方法。
【請求項１１】
交通機関の駅にカードキーにより解錠されるロッカーを設け、駅別ロッカー情報テーブルに前記交通機関の駅別の前記ロッカーの設置に関する情報を格納し、予約管理テーブルに前記ロッカーの予約に関する情報を格納し、ロッカー予約端末が前記交通機関の利用券を出札するとともに前記駅別ロッカー情報テーブルおよび前記予約管理テーブルからの情報を受けて出力する予約可能なロッカーを有する前記駅のリストの中から前記交通機関の利用者が選択した前記駅にある前記ロッカーを前記利用券と関連させて予約するとともに予約の情報を前記予約管理テーブルに記録させ、前記交通機関の改札機が前記ロッカー予約端末から前記ロッカーの予約の情報を受けた後に前記利用券を検出した時に前記ロッカー予約端末により予約された前記ロッカーを解錠するためのカードキーを発行することを特徴とするロッカーの予約方法。
【請求項１２】
前記ロッカー情報テーブルから予約した前記ロッカーの位置情報を前記改札機に送り、前記改札機は、前記予約したロッカーの位置を示す案内図を出力することを特徴とする請求項８ないし１１のいずれかに記載のロッカーの予約方法。
【請求項１３】
前記改札機から前記カードキーが発行されてから所定の時間が過ぎても前記カードキーにより予約された前記ロッカーが解錠されないときは、前記ロッカーの予約を解除し、この解除の情報を前記予約管理テーブルに記録させることを特徴とする請求項８ないし１２のいずれかに記載のロッカーの予約方法。
【請求項１４】
前記交通機関は鉄道の列車であり、前記利用券は、前記列車の利用券および特急券であることを特徴とする請求項８ないし１３のいずれかに記載のロッカーの予約方法。
【請求項１５】
交通機関の利用者にカードキーにより解錠されるロッカーを前記交通機関の利用券と関連して予約させ、この予約の情報を前記交通機関の改札機に通知し、前記改札機に前記利用券を検出した時に前記ロッカー予約端末により予約された前記ロッカーを解錠するためのカードキーを発行させることを特徴とするロッカーのロッカー予約端末。
【請求項１６】
交通機関の駅別のカードキーにより解錠されるロッカーの設置に関する情報を格納した駅別ロッカー情報テーブルおよび前記ロッカーの予約に関する情報を格納する予約管理テーブルから情報を受けて、前記交通機関の利用券の情報が入力された時に、予約可能なロッカーを有する前記駅のリストの中から前記交通機関の利用者が選択した前記駅にある前記ロッカーを前記利用券と関連させて予約するとともに、予約の情報を前記予約管理テーブルに記録させ、さらにこの予約の情報を前記交通機関の改札機に通知し、前記改札機に前記利用券を検出した時に前記ロッカー予約端末により予約された前記ロッカーを解錠するためのカードキーを発行させることを特徴とするロッカーの予約端末。
【請求項１７】
ロッカー予約端末から交通機関の利用券と関連させてされたロッカーの予約の情報を受けて、前記利用券を検出した時に前記ロッカー予約端末により予約された前記ロッカーを解錠するためのカードキーを発行することを特徴とする交通機関の改札機。
【請求項１８】
ロッカー予約端末から交通機関の利用券と関連させて行われたロッカーの予約の情報を受けて、前記利用券を検出した時に前記ロッカー予約端末により予約された前記ロッカーを解錠するためのカードキーを発行し、前記ロッカーの前記交通機関の駅別の設置に関する情報を格納した駅別ロッカー情報テーブルから情報を受けて、前記ロッカー予約端末により予約された前記ロッカーの位置を示す案内図を出力することを特徴とする交通機関の改札機。
【請求項１９】
ロッカー予約端末が交通機関の利用券の情報を受けたときに前記利用券と関連して前記交通機関の利用者にカードキーにより解錠されるロッカーを予約させる手段と、この予約の情報を前記ロッカー予約端末が前記交通機関の改札機へ通知する手段とを前記ロッカー予約端末に実行させ、前記改札機が前記利用券を検出した時に前記ロッカー予約端末により予約された前記ロッカーを解錠するためのカードキーを発行する手段を前記改札機に実行させることを特徴とするロッカー予約プログラム。
【請求項２０】
交通機関の駅別のカードキーにより解錠されるロッカーの設置に関する情報を格納した駅別ロッカー情報テーブルと、前記ロッカーの予約に関する情報を格納した予約管理テーブルとを有するコンピュータに、
ロッカー予約端末が前記交通機関の利用券の情報が入力された時に出力する要求信号に従い前記駅別ロッカー情報テーブルおよび前記予約管理テーブルからの情報を前記ロッカー予約端末に送る手段と、前記ロッカー予約端末において前記利用券と関連させて行われた前記ロッカーの予約の情報を受けて前記予約管理テーブルに記録する手段とを実行させることを特徴とするロッカー予約プログラム。
【請求項２１】
ロッカー予約端末に、交通機関の利用券の情報が入力された時に前記交通機関の駅別のロッカーの設置に関する情報を格納したロッカー情報テーブルおよび前記ロッカーの予約に関する情報を格納した予約管理テーブルからの情報を受けて予約可能なロッカーを有する前記駅のリストを出力する手段と、前記駅のリストから前記交通機関の利用者が選択した前記駅にある前記ロッカーのいずれかを選択して前記利用券と関連させて予約する手段と、前記ロッカーの予約の情報を前記予約管理テーブルに対し通知する手段と、前記ロッカーの予約の情報を前記交通機関の改札機に通知する手段とを実行させることを特徴とするロッカー予約プログラム。
【請求項２２】
交通機関の改札機に、ロッカー予約端末から前記交通機関の利用券に関連した前記交通機関の駅に設けられたロッカーの予約の情報を受けた後に前記利用券を検出した時に前記ロッカー予約端末により予約された前記ロッカーを解錠するためのカードキーを発行する手段を実行させることを特徴とするロッカー予約プログラム。
【請求項２３】
交通機関の改札機に、ロッカー予約端末から前記交通機関の利用券に関連した前記交通機関の駅に設けられたロッカーの予約の情報を受けた後に前記利用券を検出した時に前記ロッカー予約端末により予約された前記ロッカーを解錠するためのカードキーを発行する手段と、前記交通機関の駅別のロッカーの設置に関する情報を格納したロッカー情報テーブルから情報を受けて予約された前記ロッカーの位置を示す案内図を出力する手段とを実行させることを特徴とするロッカー予約プログラム。
【発明の詳細な説明】
【技術分野】
【０００１】
本発明は、ロッカー予約のシステム、方法、装置およびプログラム、ロッカーの予約端末、交通機関の改札機ならびにロッカーに関する。特に、新幹線や特急電車の乗客が、車内に設置された予約端末で到着駅構内に設置してあるロッカーの予約を行なうロッカー予約のシステム、方法、装置およびプログラム、ロッカーの予約端末、交通機関の改札機ならびにロッカーに関する。
【背景技術】
【０００２】
新幹線等の駅構内にはコインロッカーが設置され、通常、駅構内案内板にコインロッカーの設置場所が示され、駅構内の通路にコインロッカーへの道筋を示す案内標識が表示されている。
【０００３】
以下に示す特許文献１に開示されたオンラインコインロッカー予約システムでは、次のようにロッカーを予約する。
【０００４】
ユーザーＰＣ（パーソナルコンピュータ）よりインターネットを介してホストコンピュータへ接続して、予約を希望するコインロッカーが設置されている設置場所名を入力する。次に、ホストコンピュータから送られた所望の場所に設置されているコインロッカーの予約状況をユーザーＰＣの画面上に表示する。次に、画面上にある空きロッカー番号の申込ボタンをクリックする。これで、所望のコインロッカーのロッカー番号等が表示されるので、ユーザーＩＤ（識別情報）およびパスワードを入力してロッカーを予約する。
【０００５】
予約利用者が、予約済みのコインロッカーを証する際は、所定のロッカーに備えられているテンキーから、自身のユーザＩＤおよびパスワードを入力する。すると、ホストコンピュータへユーザ情報が送出されて予約利用者の識別が行われ、該当者であればロッカーの使用が許可される。
【０００６】
以下に示す特許文献２に開示されたコインロッカーサービスシステムでは、次のようにロッカーの予約を行う。
【０００７】
ユーザ端末から管理センターサーバにインターネットを介してアクセスし、所望の地域を指定すると、その地域に存在するロッカーの設置場所と現在の使用状況が表示される。ユーザが予約料金を支払うためのカード情報を送信し、クレジット会社／銀行会社端末で認証完了すると、管理センターサーバからロッカー管理端末に施鍵指示が送信され、施鍵が実行される。
【０００８】
ユーザが予約したロッカーを利用するときには、再びか管理センターサーバにアクセスして解鍵依頼を送信し、荷物を預けた後に施鍵依頼を送信する。
【０００９】
【特許文献１】特開２００２−１２８２３９号公報
【特許文献２】特開２００２−２５９５４５号公報
【発明の開示】
【発明が解決しようとする課題】
【００１０】
従来の駅構内の一般的なコインロッカーでは、いざ利用したい場合には、駅構内の案内板や案内標識を見てコインロッカーを探し回る必要があった。また、コインロッカーに辿り着いたものの、すべてのコインロッカーが使用中であったり、利用したい大きさのコインロッカーが設置されてなかったりして、別のロッカーを探す必要があるという不具合があった。最悪のケースでは、駅構内すべてのコインロッカーが使用中で利用を断念しなければならないこともあった。
【００１１】
また、コインロッカーを探し回ってようやく見つけた場合でも、十分な硬貨を所持していなかったために、両替をしなければならない事態になる場合もある（ほとんどの利用者は利用前に小銭の確認はしていない）。コインロッカーの付近に両替機が必ず併設されているとは限らないため、両替機がない場合は、両替の為に更に時間を浪費するという不具合もある。
【００１２】
特許文献１に開示されたオンラインコインロッカー予約システムでは、ユーザは、自ら所持するパーソナルコンピュータ等の情報端末を使用する必要がある。予約する際と予約したコインロッカーを利用開始する際にユーザＩＤとパスワードとを入力する必要がある。
【００１３】
特許文献２に開示されたコインロッカーサービスシステムでは、ロッカーの検索、予約、利用(施錠と解錠)、決済(クレジットカード)に至るすべての処理に自ら所持する携帯通信端末を必要とする。
【００１４】
本発明の目的は、駅構内等に設置されているロッカーの利用可能性を事前に把握でき、自らの情報端末を用意する必要がないロッカー予約のシステム、方法、装置およびプログラム、交通機関の改札機ならびにロッカーを提供することにある。
【課題を解決するための手段】
【００１５】
本発明の請求項１に係る発明のロッカー予約システムは、カードキーにより解錠されるロッカーと、交通機関の利用者に前記交通機関の利用券と関連して前記ロッカーを予約させるロッカー予約端末と、前記ロッカー予約端末から前記ロッカーの予約の情報を受けた後に前記利用券を検出した時に前記ロッカー予約端末により予約された前記ロッカーを解錠するためのカードキーを発行する前記交通機関の改札機とを含むことを特徴とする。
【００１６】
本発明の請求項２に係る発明のロッカー予約システムは、交通機関の駅に設けられカードキーにより解錠されるロッカーと、前記交通機関の駅別に前記ロッカーの設置に関する情報を格納した駅別ロッカー情報テーブルと、前記ロッカーの予約に関する情報を格納する予約管理テーブルと、前記交通機関の利用券の情報が入力された時に前記駅別ロッカー情報テーブルおよび前記予約管理テーブルからの情報を受けて出力する予約可能なロッカーを有する前記駅のリストの中から前記交通機関の利用者が選択した前記駅にある前記ロッカーを前記利用券と関連させて予約するとともに予約の情報を前記予約管理テーブルに記録させるロッカー予約端末と、前記ロッカー予約端末から前記ロッカーの予約の情報を受けた後に前記利用券を検出した時に前記ロッカー予約端末により予約された前記ロッカーを解錠するためのカードキーを発行する前記交通機関の改札機とを含むことを特徴とする。
【００１７】
本発明の請求項３に係る発明のロッカー予約システムは、交通機関の駅に設けられカードキーにより解錠されるロッカーと、前記交通機関の駅別に前記ロッカーの設置に関する情報を格納した駅別ロッカー情報テーブルと、前記ロッカーの予約に関する情報を格納する予約管理テーブルと、前記交通機関内に設けられ前記交通機関の利用券を検出した時に前記駅別ロッカー情報テーブルおよび前記予約管理テーブルからの情報を受けて出力する予約可能なロッカーを有する前記駅のリストの中から前記交通機関の利用者が選択した前記駅にある前記ロッカーを前記利用券と関連させて予約するとともに予約の情報を前記予約管理テーブルに記録させるロッカー予約端末と、前記ロッカー予約端末から前記ロッカーの予約の情報を受けた後に前記利用券を検出した時に前記ロッカー予約端末により予約された前記ロッカーを解錠するためのカードキーを発行する前記交通機関の改札機とを含むことを特徴とする。
【００１８】
本発明の請求項４に係る発明のロッカー予約システムは、交通機関の駅に設けられカードキーにより解錠されるロッカーと、前記交通機関の駅別に前記ロッカーの設置に関する情報を格納した駅別ロッカー情報テーブルと、前記ロッカーの予約に関する情報を格納する予約管理テーブルと、前記交通機関の利用券を出札するとともに前記駅別ロッカー情報テーブルおよび前記予約管理テーブルからの情報を受けて出力する予約可能なロッカーを有する前記駅のリストの中から前記交通機関の利用者が選択した前記駅にある前記ロッカーを前記利用券と関連させて予約するとともに予約の情報を前記予約管理テーブルに記録させるロッカー予約端末と、前記ロッカー予約端末から前記ロッカーの予約の情報を受けた後に前記利用券を検出した時に前記ロッカー予約端末により予約された前記ロッカーを解錠するためのカードキーを発行する前記交通機関の改札機とを含むことを特徴とする。
【００１９】
本発明の請求項５に係る発明は、請求項１ないし４のいずれかに記載のロッカー予約システムにおいて、前記ロッカー情報テーブルから予約した前記ロッカーの位置情報を前記改札機に送り、前記改札機は、前記予約したロッカーの位置を示す案内図を出力することを特徴とする。
【００２０】
本発明の請求項６に係る発明は、請求項１ないし５のいずれかに記載のロッカー予約システムにおいて、前記改札機から前記カードキーが発行されてから所定の時間が過ぎても前記カードキーにより予約された前記ロッカーが解錠されないときは、前記ロッカーの予約を解除し、この解除の情報を前記予約管理テーブルに記録させることを特徴とする。
【００２１】
本発明の請求項７に係る発明は、請求項１ないし６のいずれかに記載のロッカー予約システムにおいて、前記交通機関は鉄道の列車であり、前記利用券は、前記列車の乗車券および特急券であることを特徴とする。
【００２２】
本発明の請求項８に係る発明のロッカーの予約方法は、交通機関の利用者がロッカー予約端末により前記交通機関の利用券と関連してカードキーにより解錠されるロッカーを予約し、前記交通機関の改札機が前記ロッカー予約端末から前記ロッカーの予約の情報を受けた後に前記利用券を検出した時に前記ロッカー予約端末により予約された前記ロッカーを解錠するためのカードキーを発行することを特徴とする。
【００２３】
本発明の請求項９に係る発明のロッカーの予約方法は、交通機関の駅にカードキーにより解錠されるロッカーを設け、駅別ロッカー情報テーブルに前記交通機関の駅別の前記ロッカーの設置に関する情報を格納し、予約管理テーブルに前記ロッカーの予約に関する情報を格納し、ロッカー予約端末が前記交通機関の利用券の情報が入力された時に前記駅別ロッカー情報テーブルおよび前記予約管理テーブルからの情報を受けて出力する予約可能なロッカーを有する前記駅のリストの中から前記交通機関の利用者が選択した前記駅にある前記ロッカーを前記利用券と関連させて予約するとともに予約の情報を前記予約管理テーブルに記録させ、前記交通機関の改札機が前記ロッカー予約端末から前記ロッカーの予約の情報を受けた後に前記利用券を検出した時に前記ロッカー予約端末により予約された前記ロッカーを解錠するためのカードキーを発行することを特徴とする。
【００２４】
本発明の請求項１０に係る発明のロッカーの予約方法は、交通機関の駅にカードキーにより解錠されるロッカーを設け、駅別ロッカー情報テーブルに前記交通機関の駅別の前記ロッカーの設置に関する情報を格納し、予約管理テーブルに前記ロッカーの予約に関する情報を格納し、前記交通機関内に設けたロッカー予約端末が前記交通機関の利用券を検出した時に前記駅別ロッカー情報テーブルおよび前記予約管理テーブルからの情報を受けて出力する予約可能なロッカーを有する前記駅のリストの中から前記交通機関の利用者が選択した前記駅にある前記ロッカーを前記利用券と関連させて予約するとともに予約の情報を前記予約管理テーブルに記録させ、前記交通機関の改札機が前記ロッカー予約端末から前記ロッカーの予約の情報を受けた後に前記利用券を検出した時に前記ロッカー予約端末により予約された前記ロッカーを解錠するためのカードキーを発行することを特徴とする。
【００２５】
本発明の請求項１１に係る発明のロッカーの予約方法は、交通機関の駅にカードキーにより解錠されるロッカーを設け、駅別ロッカー情報テーブルに前記交通機関の駅別の前記ロッカーの設置に関する情報を格納し、予約管理テーブルに前記ロッカーの予約に関する情報を格納し、ロッカー予約端末が前記交通機関の利用券を出札するとともに前記駅別ロッカー情報テーブルおよび前記予約管理テーブルからの情報を受けて出力する予約可能なロッカーを有する前記駅のリストの中から前記交通機関の利用者が選択した前記駅にある前記ロッカーを前記利用券と関連させて予約するとともに予約の情報を前記予約管理テーブルに記録させ、前記交通機関の改札機が前記ロッカー予約端末から前記ロッカーの予約の情報を受けた後に前記利用券を検出した時に前記ロッカー予約端末により予約された前記ロッカーを解錠するためのカードキーを発行することを特徴とする。
【００２６】
本発明の請求項１２に係る発明は、請求項８ないし１１のいずれかに記載のロッカーの予約方法において、前記ロッカー情報テーブルから予約した前記ロッカーの位置情報を前記改札機に送り、前記改札機は、前記予約したロッカーの位置を示す案内図を出力することを特徴とする。
【００２７】
本発明の請求項１３に係る発明は、請求項８ないし１２のいずれかに記載のロッカーの予約方法において、前記改札機から前記カードキーが発行されてから所定の時間が過ぎても前記カードキーにより予約された前記ロッカーが解錠されないときは、前記ロッカーの予約を解除し、この解除の情報を前記予約管理テーブルに記録させることを特徴とする。
【００２８】
本発明の請求項１４に係る発明は、請求項８ないし１３のいずれかに記載のロッカーの予約方法において、前記交通機関は鉄道の列車であり、前記利用券は、前記列車の利用券および特急券であることを特徴とする。
【００２９】
本発明の請求項１５に係る発明のロッカーの予約端末は、交通機関の利用者にカードキーにより解錠されるロッカーを前記交通機関の利用券と関連して予約させ、この予約の情報を前記交通機関の改札機に通知し、前記改札機に前記利用券を検出した時に前記ロッカー予約端末により予約された前記ロッカーを解錠するためのカードキーを発行させることを特徴とする。
【００３０】
本発明の請求項１６に係る発明のロッカーの予約端末は、交通機関の駅別のカードキーにより解錠されるロッカーの設置に関する情報を格納した駅別ロッカー情報テーブルおよび前記ロッカーの予約に関する情報を格納する予約管理テーブルから情報を受けて、前記交通機関の利用券の情報が入力された時に、予約可能なロッカーを有する前記駅のリストの中から前記交通機関の利用者が選択した前記駅にある前記ロッカーを前記利用券と関連させて予約するとともに、予約の情報を前記予約管理テーブルに記録させ、さらにこの予約の情報を前記交通機関の改札機に通知し、前記改札機に前記利用券を検出した時に前記ロッカー予約端末により予約された前記ロッカーを解錠するためのカードキーを発行させることを特徴とする。
【００３１】
本発明の請求項１７に係る発明の交通の改札機は、ロッカー予約端末から交通機関の利用券と関連させてされたロッカーの予約の情報を受けて、前記利用券を検出した時に前記ロッカー予約端末により予約された前記ロッカーを解錠するためのカードキーを発行することを特徴とする。
【００３２】
本発明の請求項１８に係る発明の交通機関の改札機は、ロッカー予約端末から交通機関の利用券と関連させて行われたロッカーの予約の情報を受けて、前記利用券を検出した時に前記ロッカー予約端末により予約された前記ロッカーを解錠するためのカードキーを発行し、前記ロッカーの前記交通機関の駅別の設置に関する情報を格納した駅別ロッカー情報テーブルから情報を受けて、前記ロッカー予約端末により予約された前記ロッカーの位置を示す案内図を出力することを特徴とする。
【００３３】
本発明の請求項１９に係る発明のロッカー予約プログラムは、ロッカー予約端末が交通機関の利用券の情報を受けたときに前記利用券と関連して前記交通機関の利用者にカードキーにより解錠されるロッカーを予約させる手段と、この予約の情報を前記ロッカー予約端末が前記交通機関の改札機へ通知する手段とを前記ロッカー予約端末に実行させ、前記改札機が前記利用券を検出した時に前記ロッカー予約端末により予約された前記ロッカーを解錠するためのカードキーを発行する手段を前記改札機に実行させることを特徴とする。
【００３４】
本発明の請求項２０に係る発明のロッカー予約プログラムは、交通機関の駅別のカードキーにより解錠されるロッカーの設置に関する情報を格納した駅別ロッカー情報テーブルと、前記ロッカーの予約に関する情報を格納した予約管理テーブルとを有するコンピュータに、
ロッカー予約端末が前記交通機関の利用券の情報が入力された時に出力する要求信号に従い前記駅別ロッカー情報テーブルおよび前記予約管理テーブルからの情報を前記ロッカー予約端末に送る手段と、前記ロッカー予約端末において前記利用券と関連させて行われた前記ロッカーの予約の情報を受けて前記予約管理テーブルに記録する手段とを実行させることを特徴とする。
【００３５】
本発明の請求項２１に係る発明のロッカー予約プログラムは、ロッカー予約端末に、交通機関の利用券の情報が入力された時に前記交通機関の駅別のロッカーの設置に関する情報を格納したロッカー情報テーブルおよび前記ロッカーの予約に関する情報を格納した予約管理テーブルからの情報を受けて予約可能なロッカーを有する前記駅のリストを出力する手段と、前記駅のリストから前記交通機関の利用者が選択した前記駅にある前記ロッカーのいずれかを選択して前記利用券と関連させて予約する手段と、前記ロッカーの予約の情報を前記予約管理テーブルに対し通知する手段と、前記ロッカーの予約の情報を前記交通機関の改札機に通知する手段とを実行させることを特徴とする。
【００３６】
本発明の請求項２２に係る発明のロッカー予約プログラムは、交通機関の改札機に、ロッカー予約端末から前記交通機関の利用券に関連した前記交通機関の駅に設けられたロッカーの予約の情報を受けた後に前記利用券を検出した時に前記ロッカー予約端末により予約された前記ロッカーを解錠するためのカードキーを発行する手段を実行させることを特徴とする。
【００３７】
本発明の請求項２３に係る発明のロッカー予約プログラムは、交通機関の改札機に、ロッカー予約端末から前記交通機関の利用券に関連した前記交通機関の駅に設けられたロッカーの予約の情報を受けた後に前記利用券を検出した時に前記ロッカー予約端末により予約された前記ロッカーを解錠するためのカードキーを発行する手段と、前記交通機関の駅別のロッカーの設置に関する情報を格納したロッカー情報テーブルから情報を受けて予約された前記ロッカーの位置を示す案内図を出力する手段とを実行させることを特徴とする。
【００３８】
なお、「特許請求の範囲」および「課題を解決するための手段」で、「駅」というのは、鉄道の駅に限られず、利用者が交通機関を乗り降りする場所を意味し、飛行場や港を含むものである。
【００３９】
また、「駅構内」とは、駅の中およびその周辺を含む広い意味である。
【発明の効果】
【００４０】
本発明は、交通機関の利用者が交通機関から降りる前に事前にロッカーの予約することにより、交通機関を降りた後に利用可能な空いているロッカーを探し回る必要がなく、空いているロッカーを探す手間を回避し、ロッカーの利用を円滑にすることができる効果がある。
【００４１】
また、ロッカー予約端末に交通機関の利用権の情報を入力してロッカーの予約を行い、引用文献１のオンラインコインロッカー予約システムまたは引用文献２のコインロッカーサービスシステムように自らのＩＤ、パスワード、クレジットカードおよび情報端末を必要としない効果がある。
【００４２】
また、交通機関の利用者が改札口を出る際に、改札機から予約したロッカーを解錠するためのカードキーを発行することにより、利用者にロッカーを予約していることを通知できる効果がある。
【発明を実施するための最良の形態】
【００４３】
次に、本発明を実施するための最良の形態について図面を参照して詳細に説明する。
【００４４】
図１は、本発明の実施の形態のロッカー予約システムの構成を示すブロック図である。
【００４５】
本実施例は、ロッカー予約端末１、予約等のロッカー管理を一貫して行うサーバ２、自動改札機３、予約者用カードキー式ロッカー群４、乗車券・特急券５およびカードキー６とを含む。
【００４６】
ロッカー予約手段１、サーバ２、自動改札機３およびロッカー群４を接続する通信手段は、インターネット、電話回線または専用線であってもよく、特に限定されるものではない。
【００４７】
カードキー６は、ロッカー利用券としての機能を有し、磁気カードからなる。
【００４８】
ロッカー群４は、駅構内の１箇所または複数箇所に設置されている。ロッカー群４を構成するロッカーそれぞれは、従来のコインロッカーのものとは異なり、図示していない開閉蓋を閉じた状態にする錠部、カードキー挿入部、延長利用時のためのコイン投入口を有するコイン投入部を備えている。また、ロッカー群４は、全体としてサーバ２と通信するための通信部および構成ロッカーそれぞれの錠部、コイン投入部を制御する制御部を備えた構成となっている。また、ロッカーは、一般的に様々の形状、大きさの複数種類のものからなり、前面にはロッカーそれぞれを識別するための番号等のＩＤが表示されている。通常、ロッカーの開閉蓋は、閉じられ、錠部によりロックされている。
【００４９】
ロッカー群４は、予約者専用であって従来のコインロッカーとは別に設ける。
【００５０】
サーバ２は、駅別ロッカー情報テーブル２２および予約管理テーブル２３を備えている。サーバ２は、さらに図示していないロッカー、ロッカー予約端末１および自動改札機３と通信する通信部、制御部およびこの制御部を動作させ、ロッカー予約手段２１、カードキー発行手段２４およびロッカー管理手段２５を実行させるプログラム等を格納する記憶部を備えている。
【００５１】
駅別ロッカー情報テーブル２２は、駅別に構内の地図情報、ロッカー群４それぞれのＩＤおよび設置位置、ロッカー群４ごとに構成ロッカーのＩＤ、配置および形状（高さ、幅、奥行き等）の情報を格納している。
【００５２】
予約管理テーブル２３は、駅別に全てのロッカーについて、ロッカー群ＩＤ、ロッカーＩＤ、ロッカーが予約（使用されている状態を含む）されているか否かの情報、予約されていれば予約番号および予約した乗客の乗車券・特急券５のＩＤを格納している。また、予約管理テーブルは、駅ごとに未予約のロッカーがあるか否か、すなわちロッカーを予約することが可能か否かの情報も格納している。
【００５３】
ロッカー予約手段２１は、駅別ロッカー情報テーブル２２から乗客が利用するロッカーの詳細な情報を抽出し、ロッカー予約端末１に対して表示させる。また、予約が確定すると、その予約について連続番号からなる予約番号を設定し、予約管理テーブル２３に予約番号および予約データを登録し、カードキー発行手段２４に予約したロッカーがある駅の自動改札機３に対してカードキー６の発行を指示させる。同時に、ロッカー管理手段２５により予約者用ロッカー群４の該当ロッカーに対して予約を行なう。
【００５４】
ロッカー予約端末１は、電車内に設置されており、図示していないチケット挿入口を有するチケット挿入部、表示部、入力部、サーバ２と通信するための通信部および制御部を備えている。乗客は、駅別ロッカー情報テーブル２２から取得されてロッカー予約端末１の表示部に表示された降車駅のロッカーの情報（空き状況、高さ、幅、奥行き、設置場所等）を参照し、ロッカー予約端末の入力部を用いて降車予定駅構内に設置されたロッカーを予約する。
【００５５】
自動改札機３は、駅の改札口に設けられ、図示していない乗車券、特急券等の投入口を有する改札部、カードキー発行部、サーバ２と通信する通信部、記憶部および制御部を備えている。乗客が駅の改札口から出る際に乗車券、特急券と引き換えにカードキー６を裏面に予約したロッカーの案内図を印刷してカードキー発行部から発行する。乗客はそのカードキー６を受け取り、カードキー６の裏面に印刷されているロッカーまでの案内図を頼りに予約したロッカーに向かうことになる。ロッカーによりカードキー６が受け取られるとサーバ２に対してカードキー受理通知を行なう。ロッカー管理手段２５がこの通知を受信する。
【００５６】
乗車券・特急券５には、これを特定するＩＤ（新幹線等の運行月日、列車番号、車両番号、座席番号または自由席券に付された連番等）が記録されている。
【００５７】
次に、図１〜図４を参照して、本実施の形態のロッカー予約システムの動作について説明する。
【００５８】
初めに、新幹線や特急電車の乗客は、車内に設置されているロッカー予約端末１にて降車予定駅に設置されている予約者専用ロッカーの予約を行なう。
【００５９】
ロッカー予約端末１に対する乗客の予約操作としては、まず初めに乗車券・特急券５をロッカー予約端末１のチケット挿入口に挿入する。チケット挿入部は、乗車券・特急券５に記録された情報を読み取り、通信部および制御部を介してサーバ２へ送信する（図２のステップ１０１）。
【００６０】
ロッカー予約手段２１は、ロッカー予約端末１から送られてきた乗車券・特急券５の情報と駅別ロッカー情報テーブル２２の情報より、予約可能なロッカーが設置されている駅のリストをロッカー予約端末１送り、その表示部に表示させる（ステップ１０２）。この駅のリストの表示は、例えば、乗客が利用している新幹線または特急電車の停車駅を路線に沿って表示し、予約可能なロッカーがある駅を色別等により特定する。さらに、乗客が最終的に降車する可能性のある新幹線または特急電車の停車駅に接続するローカル線の駅も含めて表示することもできる。
【００６１】
乗客がロッカー予約端末１の入力部を操作して、表示部に表示されている駅のリストから降車しようとする駅をクリックする等して選択する。ロッカー予約端末１は、選択された駅の情報をサーバ２に送る。サーバ２は、駅別ロッカー情報テーブル２２と予約管理テーブル２３から読み出したその駅のロッカーの位置情報および空き状況の情報をロッカー予約端末１に送る。ロッカー予約端末１は、表示部の画面にその駅構内のロッカーの配置および空き状況を表示する（ステップ１０４）。この場合にロッカーが空いている（予約も使用もされていない）か否かを色分け等で示す。
【００６２】
また、ロッカーが非常に多くて一画面で表示するのが困難であれば、まずロッカー群４の位置および空き状況を示した後に、乗客が選択したロッカー群４等について部分詳細図を示すようにすることもできる。
【００６３】
図５にロッカー予約端末１の表示部に表示された駅構内のロッカーの配置および空き状況を示す画面の一例を示す。この例では、一画面の上部に駅構内の平面図を示し、下部にロッカー群４の正面図を示し、この正面図に各ロッカー７を表示している。
【００６４】
乗客は、空いているロッカーの一つを、その画面上のそのロッカーの表示部分をクリックする等により選択して、そのロッカーの詳細な情報（高さ、幅、奥行き、床面からの高さ等の詳細な設置場所等）を参照する（ステップ１０６）。ここで、ロッカー予約端末１は、選択されたロッカーの情報をサーバ２に送り、サーバ２はそのロッカーの詳細な情報を駅別ロッカー情報テーブル２２から読み出してロッカー予約端末１に送る。ロッカー予約端末１は、サーバ２からの情報を受けてロッカーの詳細な情報を表示する。
【００６５】
乗客は、そのロッカーで満足すれば、ロッカー予約端末１の入力部に設けられた確定ボタンを押下する等して、そのロッカーの予約を確定させる（ステップ１０７）。予約確定により、ロッカー予約端末１は、乗車券・特急券５を排出口から排出し、乗客に返却する（ステップ１１０）。乗客は、そのロッカーでは、不満であれば他の空いているロッカーを選択してステップ１０６をくり返すこともできる。
【００６６】
乗客は、車内に設けられたロッカー予約端末でロッカーの大きさ等を確認してロッカーの予約を行うことにより、新幹線等に乗車後の預ける荷物の量が確定した状態（乗車前の買い物や車内における荷物の整理で荷物の大きさが変動する場合がある。）で利用可能な最適なロッカーの検索ができる。
【００６７】
予約が確定すると、ロッカー予約端末１は、サーバ２に通知し、乗客が降車駅として選択した駅、予約したロッカー、乗車券・特急券５のＩＤからなる予約データを、サーバ２へ送る。ロッカー予約手段２１は、その予約についての予約番号を付し、予約番号に対応して予約データを予約管理テーブル２３に登録し（ステップ１０８）、カードキー発行手段２４に対して予約番号を指定してカードキー発行の依頼を行なう（ステップ１０９）。
【００６８】
乗客は、ステップ１０２またはステップ１０４でロッカーの予約を断念するときは、ロッカー予約端末１の入力部に設けられたキャンセルボタンを押下する。これにより、ロッカー予約端末１は、乗車券・特急券５を排出口から排出し、乗客に返却する（ステップ１１０）。
【００６９】
カードキー発行手段２４は、ロッカー予約手段２１よりカードキー発行依頼を受信すると（図３のステップ２０１）、予約管理テーブル２３から、その予約をした乗客の降車予定駅の情報を取得する（ステップ２０２）。カードキー発行手段２４は、その降車予定駅の全ての自動改札機３に対して、予約管理テーブル２３から読み出した予約番号、予約した乗客の乗車券・特急券５および予約されたロッカーの情報ならびに駅別ロッカー情報テーブル２２から読み出したロッカーの位置情報を送る。自動改札機３は、これらの情報を記憶部に格納し、カードキー発行の準備を行う（ステップ２０３）。
【００７０】
予約確定により、
乗客が降車駅で新幹線等から降りてから改札口を通過し、乗車券・特急券５を自動改札機３の投入口に投入すると、自動改札機３の改札部は乗車券・特急券５の情報を読み取る。その読み取った乗車券・特急券５を示すＩＤが記憶部に格納されていれば、自動改札機３のカードキー発行部は、その乗車券・特急券５に対応して記憶部に記憶されている予約番号、予約したロッカーを示すＩＤおよび乗車券・特急券５のＩＤを磁気的に記録し、視覚的に印刷したカードキー６を乗客に発行する。また、カードキー発行部は、そのロッカーの位置情報を記憶部から読み出し、ロッカーの案内図を、発行するカードキー６の裏面等に印刷する。
【００７１】
乗客は、カードキー６に印刷された案内図を参照して駅構内を移動し、予約したロッカーに辿り着き、カードキー６に印刷されたＩＤが表示されたロッカーのカードキー挿入部にカードキー６を挿入する。
【００７２】
乗客は、この案内図を利用することにより容易に予約したロッカーを見つけることができ、初めての駅でもロッカーの設置場所に到達するために、従来の様な駅構内を探し回るというような手間を回避できる。
【００７３】
カードキー挿入部は、カードキー６に記録された予約ロッカーのＩＤ、予約番号、乗車券・特急券５のＩＤを読み取る。カードキー挿入部がこれらを読み取るとロッカーは、サーバ２にロッカーＩＤを含むカードキー受理通知を行う。すると、ロッカー管理手段２５は、予約管理テーブル２３から、そのロッカーについて登録されている予約番号および乗車券・特急券５のＩＤを読み出してそのロッカーへ送る。ロッカーは、送られてきた予約番号、乗車券・特急券５のＩＤおよびロッカー自身のＩＤがカードキー挿入部がカードキー６から読み取ったものと一致すれば錠部に解錠させ、該当するカードキー６が挿入されたことをサーバ２に通知する。解錠後に乗客は、ロッカーの開閉蓋を開け、荷物をロッカー内に収納し、開閉蓋を閉じると錠部は開閉蓋を閉じた状態にロックする。
【００７４】
次に、乗客がそのロッカーのカードキー挿入部に２度目のカードキー６の挿入をすると、カードキー挿入部は、カードキー６に記録された予約ロッカーのＩＤ、予約番号、乗車券・特急券５のＩＤを読み取る。カードキー挿入部がこれらを読み取るとロッカーは、サーバ２にロッカーＩＤを含むカードキー受理通知を行う。すると、ロッカー管理手段２５は、予約管理テーブル２３から、そのロッカーについて登録されている予約番号および乗車券・特急券５のＩＤを読み出してそのロッカーへ送る。ロッカーは、送られてきた予約番号、乗車券・特急券５のＩＤおよびロッカー自身のＩＤがカードキー挿入部がカードキー６から読み取ったものと一致すれば錠部に解錠させる。
【００７５】
解錠後に乗客が開閉蓋を開けて荷物を取り出し、開閉蓋を閉じると錠部は開閉蓋を閉じた状態にロックし、ロッカーはこれを検知して予約解除をサーバ２に通知する。この通知により、ロッカー管理手段２５は、予約管理テーブル２３のそのロッカーについての予約の情報を消去し、予約の解除を登録する。
【００７６】
なお、自動改札機３は、カードキー６の発行時の時刻をサーバ２に通知する。ロッカー管理手段２５は、自動改札機３よりカードキー６が発行されてから乗客（予約者）による予約ロッカーの使用開始、すなわちロッカーによるカードキー受理通知までの時間を監視する（図４のステップ３０１、３０２）。ロッカーが実際に使用されずに猶予時間（予め管理者が設定した時間：３０分程度）を過ぎると（ステップ３０３、３０４）、予約のキャンセルとみなし、予約の取消し処理を実行する（ステップ３０５）。すなわち、ロッカー管理手段２５は、予約管理テーブル２３のそのロッカーについての予約の情報を消去し、予約の解除を登録する。
【００７７】
なお、自動改札機３は、カードキー６の発行時の時刻を予約ロッカーに通知し、ロッカーは、その時刻から２度目のカードキー６の挿入までに予め定めた所定の時間以上が経過したときは、コイン投入口に所定の延滞料金が挿入されなければ錠部を解除しないようにする。
【００７８】
上述の実施の形態のロッカー予約システムでは、ロッカー予約端末を新幹線または特急電車の車内に設けたが、本発明は、これに限定されない。例えば、自動出札機にロッカー予約端末を兼ねさせ、次のようにすることもできる。
【００７９】
乗客が自動出札機に降車する駅を指定して乗車券・特急券５を購入しようとしたときに、乗客にロッカーの予約をするか否かを入力させる。乗客がロッカーの予約をすることとしたときは、自動出札機は、予約が可能なロッカーがある駅のリストを表示する等の上述の実施の形態と同様な動作を行う。
【００８０】
この場合に乗車する電車が特定されず、乗客が降車する時刻が未定であるときは、次のようにすればよい。乗車券・特急券に識別のためのＩＤを記録する。乗車券・特急券が購入されてから一定の時間以上経過しても、降車駅の自動改札機にその乗車券・特急券が投入されない場合、または予約したロッカーが利用されない場合には、予約がキャンセルされたものとみなす。
【００８１】
また、本発明は、乗車する電車が特定されず、乗客が降車する時刻が未定である普通乗車券であっても適用可能である。ただし、乗車券にＩＤを記録し、乗車券が購入されてから一定の時間以上経過しても、降車駅の自動改札機にその乗車券が投入されない等の場合には、予約がキャンセルされたものとみなすこととする。
【００８２】
新幹線または特急電車の乗客は、高額の料金を払っていることから、ロッカーの予約については無料とすることが望ましい。無料とすることにより、乗客にとって硬貨を用意するという煩わしさを回避できる利点がある。
【００８３】
もっとも、ロッカーの予約を有料とすることもできるが、その場合はロッカー予約端末に硬貨投入口を設け、所定の硬貨の投入を条件としてロッカーの予約を確定する。
【００８４】
また、ロッカーの案内図はカードキー６の裏面に印刷するのに限定されず、カードキー６の表面や別紙に印刷して自動出札機から発行するようにすることもできる。
【００８５】
また、カードキーは、磁気カードに限定されず、例えば、無線タグを設けたものでもよい。この場合には、カードキーをロッカーに近づけるだけでロッカーの錠を解除するようなこともできる。
【００８６】
また、交通機関としては、鉄道に限られず、交通機関から降りる地点に自動改札機が備えられていれば、飛行機や船舶にも適用できる。
【００８７】
また、本発明のロッカーに従来のコインロッカーの機能を合わせ持つようにすることもできる。ただし、この場合には、ロッカーに硬貨の投入口を設け、ロッカーは硬貨の投入によるロッカーの使用状況をサーバ２に通知し、予約管理テーブル２３に使用状況を登録させる必要がある。
【００８８】
また、ロッカーに予約済み、または未予約を表示するランプ等を設け、ロッカー予約手段２５がロッカーに予約の確定を通知して予約済みの表示をさせ、ロッカー管理手段２５がロッカーに予約の解除を通知して未予約の表示をさせるようにしてもよい。
【産業上の利用可能性】
【００８９】
新幹線、特急電車などの乗客が降車駅で荷物を駅に備えられたロッカーに預けようとするときに、駅に到着する前に事前に利用できるロッカーを検索して予約するという用途に適用できる。
【図面の簡単な説明】
【００９０】
【図１】本発明の実施の形態のロッカー予約システムの構成を示すブロック図である。
【図２】図１中のロッカー予約手段２１の動作を示す流れ図である。
【図３】図１中のカードキー発行手段２４の動作を示す流れ図である。
【図４】図１中のロッカー管理手段２５の動作を示す流れ図である。
【図５】図１中のロッカー予約端末１の表示部に表示されるロッカーの案内図の画面の一例を示す図である。
【符号の説明】
【００９１】
１    ロッカー予約手段
２    サーバ
３    自動改札機
４    ロッカー群
５    乗車券・特急券
６    カードキー
７    ロッカー
２１    ロッカー予約手段
２２    駅別ロッカー情報テーブル
２３    予約管理テーブル
２４    カードキー発行手段
２５    ロッカー管理手段
【図１】
2006251921.tif 000003
【図２】
2006251921.tif 000004
【図３】
2006251921.tif 000005
【図４】
2006251921.tif 000006
【図５】
2006251921.tif 000007